(57)【要約】【課題】水質を広い範囲で浄化することができ、光触媒の摩耗や剥離も防止することができる水質浄化用具を提供する。特に、浴槽内の湯中に浸漬して使用するのに好適な水質浄化用具を提供する。【解決手段】伸縮弾性を有する螺旋状金属線材を複数回巻き重ねることによってかせ状の金属部材を形成する。この金属部材の表面に光触媒を薄膜状に固着することによって水質浄化材１０を得る。この水質浄化材１０を、保護容器上部３１と保護容器下部３２とからなる保護容器の内部に設けられたかせ枠２０に張設することによって水質浄化用具４０を構成した。保護容器は、透光性及び通水性を有している。【選択図】  図８
2004330030.tif 000002
【特許請求の範囲】
【請求項１】
伸縮弾性を有する螺旋状金属線材を巻き重ねることによってかせ状に形成した金属部材と、該金属部材の表面に薄膜状に固着された光触媒とからなる水質浄化材が、透光性及び通水性を有する保護容器の内部に収容されてなる水質浄化用具であって、前記水質浄化材は、保護容器の内部に設けられたかせ枠に掛けられてなることを特徴とする水質浄化用具。
【請求項２】
かせ枠は、平行かつ回転対称な位置に配された複数本の棒状部からなる請求項１記載の水質浄化用具。
【請求項３】
保護容器は、多角柱形状の箱体からなる請求項１又は２記載の水質浄化用具。
【請求項４】
保護容器は一対の分割体に分割可能であり、前記一対の分割体は掛止、嵌合又はヒンジによって互いに連結されてなる請求項１〜３いずれか記載の水質浄化用具。
【請求項５】
保護容器に紐通し部が設けられてなる請求項１〜４いずれか記載の水質浄化用具。
【請求項６】
保護容器とかせ枠とが分離可能である請求項１〜５いずれか記載の水質浄化用具。
【請求項７】
かせ枠は、平行かつ回転対称な位置に配された複数本の棒状部と該複数本の棒状部を両端から支持する２枚の板状体とからなる請求項６記載の水質浄化用具。
【請求項８】
伸縮弾性を有する螺旋状金属線材を巻き重ねることによってかせ状に形成した金属部材と該金属部材の表面に薄膜状に固着された光触媒とからなる水質浄化材を内部に収容するための水質浄化材保護容器であって、透光性及び通水性を有し、その内部に前記水質浄化材を掛けるためのかせ枠が設けられてなることを特徴とする水質浄化材保護容器。
【発明の詳細な説明】
【０００１】
【発明の属する技術分野】
本発明は、光触媒を利用した水質浄化用具に関するものであり、特に、浴槽内の湯中に浸漬使用することによって、その湯に入浴した人の肌を美しく健康的に保つことを可能にする水質浄化用具に関するものである。また、水質浄化材を収容するのに好適な水質浄化材保護容器に関するものである。
【０００２】
【従来の技術】
光触媒は、その光触媒のバンドギャップ以上のエネルギーを持つ光の照射によって光励起され、電子と正孔とを生成する。この電子と正孔の一部が光触媒の表面に移動し、空気中や水中の有害物質を分解、除去する。光触媒は、被分解物との接触面積が大きいほど、そして、所定範囲内においては照射される光のエネルギーが大きいほど効率的に作用する。代表的な光触媒として酸化チタンが挙げられる。酸化チタンなどの光触媒は、太陽光、蛍光灯、ブラックライト、キセノンランプ、水銀ランプ、ナトリウムランプ、白熱灯又は冷陰極放電管などの光が照射されると、水中の有害成分を吸着して分解処理を行い、水質の浄化を行うことが知られている。この光触媒は、空気浄化や殺菌などにも用いられる。
【０００３】
本願発明者らは、鋭意研究を積み重ねた結果、特開２００３−０５３１４３号公報（特許文献１）に記載の光触媒部材（水質浄化材）の開発に成功した。特許文献１には、表面に複数の微小な凹部を有し螺旋状に形成される基材と、該基材の表面に薄膜状に固定される光触媒とからなる光触媒部材が記載されている。これにより、光触媒部材の表面積を広く確保することが可能となり、また、照射された光が光触媒部材の各部分に到達することも可能となるために、非常に効率よく被分解物を光触媒分解することが可能な光触媒部材を提供することができる旨が記載されている。
【０００４】
【特許文献１】
特開２００３−０５３１４３号公報（第３−４頁、図１）
【０００５】
【発明が解決しようとする課題】
特許文献１は、水や空気などの被分解物を効率的に浄化できる光触媒部材を提供するものではあるものの、光触媒部材を収容するのに好適な保護容器を提供するものではない。このため、光触媒部材の本来発揮しうる性能が、光触媒部材の設置場所や用途によって減殺するおそれがあった。例えば、この光触媒部材を水中に浸漬して使用すると、水は空気よりも拡散や対流が遅いために、水質が狭い範囲でしか浄化されないことがある。また、この光触媒部材を浴槽内の湯中に浸漬して使用すると、基材の表面に固定された光触媒が浴槽の底や側壁に削り取られたり、浴槽が光触媒部材によって傷つけられることなども生じ得る。
【０００６】
本発明は、上記課題を解決するためになされたものであり、水質浄化材を水中に浸漬して使用するのに好適な水質浄化材保護容器を提供するものである。また、水質を広い範囲で浄化するとともに、基材に固着された光触媒の摩耗や剥離を防止することもできる水質浄化用具を提供する。
【０００７】
【課題を解決するための手段】
上記課題は、伸縮弾性を有する螺旋状金属線材を巻き重ねることによってかせ状に形成した金属部材と、該金属部材の表面に薄膜状に固着された光触媒とからなる水質浄化材が、透光性及び通水性を有する保護容器の内部に収容されてなる水質浄化用具であって、前記水質浄化材は、保護容器の内部に設けられたかせ枠に掛けられてなることを特徴とする水質浄化用具を提供することによって解決される。
【０００８】
これにより、水質浄化材を保護容器で覆って、金属部材の表面に固着された光触媒の摩耗や剥離を防止することが可能となる。また、水質浄化材は、かせ枠に張設されて広がった状態となっているために、広い範囲において水質浄化することができる。本明細書において、透光性を有するとは、材質そのものが透光性を有する場合だけでなく、材質自体に透光性がなくとも、小孔や開口部などの採光手段が設けられることによって透光性を有している場合をも含む。また、水質浄化材を構成する光触媒は、金属部材の表面に結果的に固着されていればよいのであって、光触媒を固着する時期は特に限定されない。螺旋状金属線材をかせ枠状に形成してから光触媒を固着してもよいし、それ以前に固着してもよい。
【０００９】
このとき、かせ枠は、平行かつ回転対称な位置に配された複数本の棒状部からなることが好ましい。これにより、かせ枠の中央に大きな空間を確保して、水質浄化用具をあらゆる方向に対して通水性を有するものとすることが可能となる。また、水質浄化用具の内部を明るくして、水の光触媒分解を活性化することもできる。かせ枠を平行かつ回転対称な位置に配された３本の棒状部で構成するとより好適である。
【００１０】
保護容器が多角柱形状の箱体からなることも好ましい。これにより、水質浄化用具の設置安定性が向上する。保護容器が三角柱形状の箱体からなるとより好適である。また、保護容器に紐通し部を設けると、水質浄化用具を吊り下げて使用することも可能となる。
【００１１】
保護容器が一対の分割体に分割可能であり、この一対の分割体が掛止、嵌合又はヒンジによって互いに連結されてなることや、保護容器とかせ枠とが分離可能であることも好ましい。これにより、水質浄化用具のメンテナンスが容易になる。保護容器とかせ枠とが分離可能である場合には、かせ枠の強度を十分確保するために、かせ枠を、平行かつ回転対称な位置に配された複数本の棒状部と該複数本の棒状部を両端から支持する２枚の板状体とによって構成するとよい。
【００１２】
また、上記課題は、伸縮弾性を有する螺旋状金属線材を巻き重ねることによってかせ状に形成した金属部材と該金属部材の表面に薄膜状に固着された光触媒とからなる水質浄化材を内部に収容するための水質浄化材保護容器であって、透光性及び通水性を有し、その内部に前記水質浄化材を掛けるためのかせ枠が設けられてなることを特徴とする水質浄化材保護容器を提供することによっても解決される。この水質浄化材保護容器は、前記水質浄化材を収容するものとして好適である。
【００１３】
【発明の実施の形態】
以下、図面を用いて本発明を具体的に説明する。図１は、水質浄化材に使用される金属部材の全体を示した斜視図である。図２は、金属部材を形成する螺旋状金属線材を示した斜視図である。図３は、図２の螺旋状金属線材を複数本重ねた状態を示した斜視図である。図４は、かせ枠を示した斜視図である。図５は、保護容器を示した斜視図である。図６は、かせ枠下部の棒状部に、水質浄化材が張設される前の状態を示した斜視図である。図７は、水質浄化材が張設されたかせ枠下部に、かせ枠上部が取り付けられる前の状態を示した斜視図である。図８は、水質浄化材が張設されたかせ枠が、保護容器に収容される前の状態を示した斜視図である。図９は、水質浄化用具を浴槽内の湯中に浸漬使用している状態を示した断面図である。
【００１４】
まず、本発明の水質浄化用具を構成する水質浄化材について説明する。水質浄化材は、図１に示すような金属部材１１の表面に、図示省略の光触媒を薄膜状に固着したものである。この金属部材１１は、図２に示すような伸縮弾性を有する螺旋状金属線材１２を複数回巻き重ねることによってかせ状に形成したものであり、全体として伸縮弾性を有している。図１、図６〜図８においては、図１の一部を除いて、螺旋状金属線材１２を単純な太い紐で表現している。本実施態様では、螺旋状金属線材１２として、ステンレススチール製（例えばＳＵＳ３０４Ｃ）の細長い超薄板（例えば、厚さ０．０４ｍｍ、幅０．８ｍｍ）を使用している。
【００１５】
金属部材１１は、図３に示すような螺旋状金属線材１３を複数回巻き重ねることによってかせ状に形成したものであってもよい。この螺旋状金属線材１３は、螺旋状金属線材１２を複数本重ねたものである。これにより、水質浄化材の表面積を増大させて水質浄化の効果を高めることや、水質浄化材を複雑な形状として容易に形状が崩れないものとすることが可能となる。
【００１６】
また、金属部材１１の表面は、図示省略の複数の微小な凹部を有しており、複雑な形状となっている。このため、金属部材１１の表面は、光触媒が剥離しにくくく、かつ、光が散乱しやすいものとなっている。この微小な凹部の成形は、金属部材１１を電解槽中の電解液に浸漬することによって行うとよい。これにより、微小な凹部を金属部材１１の表面に均一に分布させることができる。
【００１７】
金属部材１１の表面に固着する光触媒は、酸化チタンを使用している。酸化チタンの固着は、金属部材１１を酸化チタン溶液槽中のアナターゼ分散液に浸漬し、得られた金属部材１１を電気炉などで焼成することによって行う。これにより、均一な厚みを有する酸化チタンの焼結体層が、金属部材１１の表面の形状に沿って薄膜状に固着される。
【００１８】
次に、本発明の水質浄化用具を構成するかせ枠について説明する。かせ枠２０は、図４に示すように、ポリプロピレン製のかせ枠上部２１とかせ枠下部２５とからなり、図６や図７に示すように、分割することが可能である。本明細書において、「上（下）」は、図面の上（下）側を意味しており、必ずしも鉛直上（下）側を意味しない。鉛直上（下）側を指すときは、必ず「鉛直」と前置きする。
【００１９】
かせ枠下部２５は、正三角形（１辺の長さ１５０ｍｍ、角部のＲの半径１５ｍｍ）の板状部２６（厚さ５ｍｍ）と、板状部２６の上面に立設された３本の棒状部２７（上端の外径８ｍｍ、下端の外径９ｍｍ、長さ４５ｍｍ）とからなる。棒状部２７は、それぞれ一定の距離（７０ｍｍ）を隔てて平行に配されており、それぞれが６０度の回転対称性を有する位置に配されている。板状部２６には、通水性を確保するための開口部が複数設けられている。また、かせ枠上部２１は、かせ枠上部２１と同様の板状部２２を有しており、その下面には、棒状部２７と板状部２２を連結するための棒状の連結部２３（上端の外径９ｍｍ、下端の外径８ｍｍ、長さ１５ｍｍ）が設けられている。
【００２０】
次に、本発明の水質浄化用具を構成する保護容器について説明する。保護容器３０は、図５に示すように、ポリプロピレン製の三角柱形状の箱体（厚さ２ｍｍ）からなっており、図８に示すように、保護容器上部３１と保護容器下部３２とに分割することが可能な構造となっている。保護容器３０の表面には、内部に通じる小孔３５や開口部３６が複数設けられており、保護容器内部への透光性や通水性は良好なものとなっている。本実施態様の保護容器３０は、その側面に小孔３５が設けられており、その上面と下面とに三日月形の開口部３６が設けられている。保護容器３０の角部には安全性を高めるためのＲが設けられている。
【００２１】
この保護容器３０は、その内部が中空となっており、水質浄化材が張設されたかせ枠２０を収めることが可能な構造となっている。かせ枠２０を保護容器３０の内部に収容した際には、板状部２２の上面の少なくとも一部が保護容器３０の内側の上面と当接し、板状部２６の下面の少なくとも一部が保護容器３０の内側の下面と当接し、かつ、板状部２２、２６の端面が保護容器３０の内側の側面と当接する。このため、かせ枠２０は保護容器３０の内部で揺動することがない。
【００２２】
次に、本発明の水質浄化用具の組立方法について説明する。まず、図６に示すように、水質浄化材１０をかせ枠下部２５の３本の棒状部２７に張設する。これにより、水質浄化材１０は、外側に引っ張られて広げられた状態となるために、広い範囲の水質を浄化することが可能になるのとともに、縮もうとする弾性力が働いて、３本の棒状部２７の周囲を強く把持した状態となる。また、三角柱形状の空間が、張設された水質浄化材１０の内部に形成されるために、保護容器内部の通水性は良好な状態に保たれる。
【００２３】
続いて、図７に示すように、水質浄化材１０が張設されたかせ枠下部２５にかせ枠上部２１を取り付ける。この取付けは、棒状部２７の端面に設けられた受け穴２８と連結部２３の端面に設けられた突起２４とを嵌合することによって行う。かせ枠上部２１は、かせ枠下部２５に張設された水質浄化材１０が上方にずれて棒状部２７から脱落するのを防止する。
【００２４】
さらに続いて、図８に示すように、水質浄化材１０が張設されたかせ枠２０を保護容器下部３２に収容して、保護容器上部３１を保護容器下部３２に取り付ける。これにより、水質浄化材１０は保護容器３０によって被覆された状態となるために、光触媒の摩耗や剥離の防止や、水質浄化材１０が浴槽や人体に傷を付けるのを防止することが可能となる。保護容器上部３１と保護容器下部３２の取付けは、保護容器上部３１に設けられた鉤爪状の掛合部３４を保護容器下部３２の縁に掛合することによって行う。
【００２５】
最後に、水質浄化用具４０を吊設するための紐を、保護容器上部３１と保護容器下部３２とに設けられた紐通し部３３に取り付けて、水質浄化用具４０の組立は終了する。このように、本発明の水質浄化用具４０の組立は、ドライバーなどの工具を必要とせず、簡単である。このため、水質浄化材１０の洗浄や交換などのメンテナンスを容易に行うことが可能である。
【００２６】
次に、本発明の水質浄化用具４０を使用した入浴方法について説明する。水質浄化用具４０は、水槽、井戸又は庭池などに設置して使用してもよいが、図９に示すように、浴槽内に設置して使用するのが好ましい。これにより、浴槽内の湯７０の酸化還元電位を低下させて、入浴した人の肌を美しく健康的に保つことが可能となる。湯７０の酸化還元電位が低ければ、体内の不飽和脂肪酸が酸化しにくく、肌の老化の原因となる過酸化脂質の生成が抑制されるためである。この過酸化脂質は、タンパク質と結び付いてリポフスチン色素を生成し、肌にシミを生じさせることで知られている。
【００２７】
水質浄化用具４０を浴槽内に設置する場合には、環状に結ばれた紐５０を水道８０の吐水管８１に掛止して水質浄化用具４０を吊設するとよい。水質浄化用具４０を浴槽６０の床に載置して使用すると、入浴時にそれを踏み付けるおそれがあり危険である。このとき、水質浄化用具４０が、入浴時の湯７０の深さに対して１／３〜２／３の深さとなるように、紐５０の長さを調節しておくことが好ましい。これにより、水質浄化用具４０は、浴槽内の湯７０を万遍なく浄化することが可能となる。
【００２８】
水質浄化用具４０は、浴槽内に湯７０を注ぎ始める以前に設置しておくとよい。これにより、入浴時の湯７０の酸化還元電位はさらに低いものとなる。このとき、水質浄化用具４０を水道８０の蛇口８２の鉛直下方に設置しておくことが好ましい。これにより、蛇口８２から排出された湯７０は水質浄化用具４０を直撃するようになり、水質浄化用具４０は、浴槽内に湯７０が満たされた後だけでなく、浴槽内に湯７０を注いでいる途中であっても、湯７０を浄化することが可能となる。
【００２９】
浴槽内に湯７０が注がれてから入浴するまでの時間は、湯７０の量によって異なるが、一般家庭で通常使用される大きさの浴槽（湯７０の量が１５０〜２００？程度）であれば、水質浄化用具４０が湯７０に浸漬してから１０〜１８０分経過した後に入浴するのが好ましい。１０分を経過する前に入浴すると、湯７０の酸化還元電位が十分に低下していないおそれがあり、１８０分を経過した後に入浴すると、湯７０が冷めているおそれがあるためである。３０〜１２０分経過後であるとより好適である。湯船に漬かる時間は、１回の入浴につき、１０〜１５分間確保する。
【００３０】
水質浄化用具４０が浸漬された湯７０への入浴は、それが１回限りであっても、効果は期待できるが、長期間繰り返すことが好ましい。これにより、その効果は、さらに顕著なものとなり長期間維持される。このとき、水質浄化用具４０を繰り返し使用していると、保護容器３０や水質浄化材１０に湯垢などが付着して水質浄化の効果が弱まってくることがある。しかし、この場合には、保護容器３０や水質浄化材１０を水洗いすることによって、水質浄化の効果は回復する。水質浄化材１０の洗浄は、金属部材１１の表面に固着された光触媒が剥離しないように、手で優しく揉みほぐしながら行うとよい。
【００３１】
【実施例】
以下、図面を用いて本発明の水質浄化用具の効果をより具体的に説明する。図１０は、水Ａ〜水Ｄにおける酸化還元電位の時間変化を示した測定結果である。図１１は、試用期間開始前に実施した「肌のツッパリ感」についてのアンケートの調査結果である。図１２は、試用期間終了後に実施した「肌のツッパリ感」についてのアンケートの調査結果である。図１３は、試用期間開始前に実施した「肌のかゆみ」についてのアンケートの調査結果である。図１４は、試用期間終了後に実施した「肌のかゆみ」についてのアンケートの調査結果である。図１５は、試用期間開始前に実施した「肌荒れ」についてのアンケートの調査結果である。図１６は、試用期間終了後に実施した「肌荒れ」についてのアンケートの調査結果である。
【００３２】
本発明の水質浄化用具が、水の酸化還元電位を減少する効果があることを実証するために、以下の測定を行った。まず、４つの透明な容器を用意して、それぞれの容器の中に、酸化還元電位が０．６８Ｖの水１６００ｃｃを注ぎ込む。それぞれの容器に注がれた水を、水Ａ、水Ｂ、水Ｃ、水Ｄとすると、水Ｂにトルマリン１２０ｇを、水Ｃに麦飯石１２０ｇを、水Ｄに本発明の水質浄化用具（水質浄化材１２０ｇ）を完全に浸漬させる。このとき、水Ａには何も浸漬しない。この後、水Ａ〜水Ｄの酸化還元電位の測定を開始したところ、図１０のような結果が得られた。図中の「経過時間」は、測定開始からの経過時間（０分は１回目の測定時を意味する）である。容器に水を注ぎ込んでから１回目の測定までにかかった時間は６分であり、水Ａ〜水Ｄにおいて一定である。この測定は、株式会社堀場製作所社製の汎用分析計測機器「Ｄ−２２Ｔ」に同社製の酸化還元電位防水電極「９３００−１０Ｄ」を取り付けて室内で行った。
【００３３】
以下、図１０を参照しながら、測定結果について説明する。何も浸漬しなかった水Ａの酸化還元電位は、測定開始から１８０分が経過しても殆ど減少していない。これに対して、本発明の水質浄化用具を浸漬した水Ｄの酸化還元電位は、測定開始から３０分が経過するまでの間に著しく減少し、その後の酸化還元電位はほぼ一定となっている。これにより、本発明の水質浄化用具は、水の酸化還元電位を減少させるのに顕著な効果を奏することが分かった。また、水Ｂと水Ｃの酸化還元電位は、測定開始から１８０分経過すると、水Ｄの酸化還元電位とほぼ同じ水準にまで減少するものの、その減少は、水Ｄの場合と比較して緩やかである。これにより、本発明の水質浄化用具は、水質浄化に従来用いられているトルマリンや麦飯石よりも、水の酸化還元電位を速やかに減少させることが分かった。これは、本発明の水質浄化用具が、トルマリンや麦飯石よりも、浴槽の湯中に浸漬使用するものとして好ましいことを意味する。トルマリンや麦飯石による水質浄化の効果が表れるまで入浴するのを待っていると、湯が冷めてしまうおそれがあるからである。
【００３４】
また、本発明の水質浄化用具が、それを浸漬した湯に入浴した人の肌に良い影響を及ぼすことを実証するために、本発明の水質浄化用具の試用調査を８４人のモニターに対して実施した。モニターは、図９に示すような、水質浄化用具が湯中に浸漬された風呂に１日１回入浴し、これを２〜３週間繰り返した。入浴は、湯が浴槽に完全に溜まってから最低３０分間経過後に入浴している。１回の入浴時間はモニターや日によって１０〜２０分間の範囲でバラツキがあるが、平均１３分間である。試用期間開始前と試用期間終了後の２回にわたり、「肌のツッパリ感」、「肌のかゆみ」、「肌荒れ」の３つの項目についてのアンケート調査をモニターに対して行った。
【００３５】
「肌のツッパリ感」の項目については、試用期間開始前と試用期間終了後の２回にわたり、「感じる」、「少し感じる」、「あまり感じない」、「感じない」、「わからない」の５つの選択肢の中から１つを選択する方式でアンケート調査を行ったところ、次のような結果が得られた。
【００３６】
図１１に示すように、試用期間開始前において、「感じる」と答えたモニターは５５％であり、「少し感じる」と答えたモニターは皆無であった。また、図１２に示すように、試用期間終了後において、「感じる」と答えたモニターは皆無であり、「少し感じる」と答えたモニターは１８％であった。このことから、肌に何らかのツッパリ感を感じていたモニター（「感じる」と答えたモニターと「少し感じる」と答えたモニターの合計）は、試用期間の前後で、５５％から１８％まで減少したことが分かった。これにより、本発明の水質浄化用具が、肌のツッパリ感を改善するのに優れた効果を奏することが分かった。また、試用期間開始前には２７％のモニターが「わからない」と答えていたのに対し、試用期間終了後に「わからない」と答えたモニターは皆無となっている。このことから、試用期間開始前には肌のツッパリ感について自覚症状がなかったものの、試用期間終了後の肌が良好な状態であることを認識することによって、以前のツッパリ感を自覚したモニターがいたことが予想される。
【００３７】
「肌のかゆみ」の項目については、試用期間開始前と試用期間終了後の２回にわたり、「かゆい」、「少しかゆい」、「あまりかゆくない」、「かゆくない」、「わからない」の５つの選択肢の中から１つを選択する方式でアンケート調査を行ったところ、次のような結果が得られた。
【００３８】
図１３に示すように、試用期間開始前において、「かゆい」と答えたモニターは３６％であり、「少しかゆい」と答えたモニターは皆無であった。また、図１４に示すように、試用期間終了後において、「かゆい」と答えたモニターは皆無であり、「少しかゆい」と答えたモニターは２７％であった。このことから、肌に何らかのかゆみを感じていたモニター（「かゆい」と答えたモニターと「少しかゆい」と答えたモニターの合計）は、試用期間の前後で、３６％から２７％まで減少したことが分かった。これにより、本発明の水質浄化用具が、肌のかゆみを改善するのに優れた効果を奏することが分かった。また、試用期間開始前には６４％ものモニターが「わからない」と答えていたのに対し、試用期間終了後に「わからない」と答えたモニターは皆無となっており、「肌のツッパリ感」の項目についてのアンケート結果と同様の傾向が見られることも分かった。
【００３９】
「肌荒れ」の項目については、試用期間開始前において、「荒れている」と「荒れていない」の２つの選択肢の中から１つを選択する方式で、試用期間終了後において、「改善した」、「少し改善した」、「変わらない」の３つの選択肢の中から１つを選択する方式でアンケート調査を行ったところ、次のような結果が得られた。
【００４０】
図１６に示すように、試用期間終了後において、「改善した」と答えたモニターは９０％であり、「少し改善した」と答えたモニターは６％である。これにより、試用期間の前後で肌荒れの症状が軽減したモニター（「改善した」と答えたモニターと「少し改善した」と答えたモニターの合計）が、９６％という非常に高い割合で存在することが分かった。また、図１５と図１６からは直接読み取ることはできないが、試用期間終了後に「変わらない」と答えた４％のモニターは、試用期間開始前に「肌が荒れていない」と答えていたモニターと全て同一人物であることが確認できた。つまり、試用期間開始前に「肌があれている」と答えた全てのモニターの肌荒れが改善したことになる。このように、本発明の水質浄化用具は、肌荒れを改善するのに優れた効果を奏することが分かった。
【００４１】
以上のように、本発明の水質浄化用具は、肌に良い影響を与えるものであったために、本発明の水質浄化用具を試用期間終了後も使用したいというモニターが数多く見られた。
【００４２】
【発明の効果】
本発明の水質浄化用具は、水質浄化材がかせ枠によって伸ばされた状態あるいは広げられた状態となっているために、水質を広い範囲で浄化することができる。また、本発明の水質浄化用具は、水質浄化材が容器によって覆われているために、金属線材に固着された光触媒の摩耗や剥離を防止することができるだけでなく、水質浄化材が浴槽や人体を傷つけるのを防止することも可能となる。このため、本発明の水質浄化用具は、浴槽の湯中に浸漬して使用するのに好適であり、その湯に入浴した人の肌を美しく健康的に保つことも可能となる。
【図面の簡単な説明】
【図１】水質浄化材に使用される金属部材の全体を示した斜視図である。
【図２】金属部材を形成する螺旋状金属線材を示した斜視図である。
【図３】図２の螺旋状金属線材を複数本重ねた状態を示した斜視図である。
【図４】かせ枠を示した斜視図である。
【図５】保護容器を示した斜視図である。
【図６】かせ枠下部の棒状部に、水質浄化材が張設される前の状態を示した斜視図である。
【図７】水質浄化材が張設されたかせ枠下部に、かせ枠上部が取り付けられる前の状態を示した斜視図である。
【図８】水質浄化材が張設されたかせ枠が、保護容器に収容される前の状態を示した斜視図である。
【図９】水質浄化用具を浴槽内の湯中に浸漬使用している状態を示した断面図である。
【図１０】水Ａ〜水Ｄにおける酸化還元電位の時間変化を示した測定結果である。
【図１１】試用期間開始前に実施した「肌のツッパリ感」についてのアンケートの調査結果である。
【図１２】試用期間終了後に実施した「肌のツッパリ感」についてのアンケートの調査結果である。
【図１３】試用期間開始前に実施した「肌のかゆみ」についてのアンケートの調査結果である。
【図１４】試用期間終了後に実施した「肌のかゆみ」についてのアンケートの調査結果である。
【図１５】試用期間開始前に実施した「肌荒れ」についてのアンケートの調査結果である。
【図１６】試用期間終了後に実施した「肌荒れ」についてのアンケートの調査結果である。
【符号の説明】
１０  水質浄化材
１１  金属部材
１２  螺旋状金属線材
１３  複数本重ねられた螺旋状金属線材
２０  かせ枠
２１  かせ枠上部
２２  板状部
２３  連結部
２４  突起
２５  かせ枠下部
２６  板状部
２７  棒状部
２８  受け穴
３０  保護容器
３１  保護容器上部
３２  保護容器下部
３３  紐通し部
３４  掛合部
３５  小孔
３６  開口部
４０  水質浄化用具
５０  紐
６０  浴槽
７０  湯
８０  水道
８１  吐水管
８２  蛇口
【図１】
2004330030.tif 000003
【図２】
2004330030.tif 000004
【図３】
2004330030.tif 000005
【図４】
2004330030.tif 000006
【図５】
2004330030.tif 000007
【図６】
2004330030.tif 000008
【図７】
2004330030.tif 000009
【図８】
2004330030.tif 000010
【図９】
2004330030.tif 000011
【図１０】
2004330030.tif 000012
【図１１】
2004330030.tif 000013
【図１２】
2004330030.tif 000014
【図１３】
2004330030.tif 000015
【図１４】
2004330030.tif 000016
【図１５】
2004330030.tif 000017
【図１６】
2004330030.tif 000018